(57)【要約】【課題】所定のコンクリートを正確かつ確実に識別するとともに、所定のコンクリートに係わる正規のデータを確実に保存する。【解決手段】所定のコンクリートＣを識別するに際し、予め、所定のコンクリートＣに係わるデータを書込んだ無線タグ２を用意するとともに、所定のコンクリートＣの造形時に、当該コンクリートＣの中に無線タグ２を収容し、所定のコンクリートＣの識別時に、当該コンクリートＣの中に収容した無線タグ２のデータを、非接触に配した無線タグ読取装置１で読取ることにより、所定のコンクリートＣを識別する。【選択図】図１
2004197312.tif 000002
【特許請求の範囲】
【請求項１】
所定のコンクリートを識別するためのコンクリート識別方法において、予め、所定のコンクリートに係わるデータを書込んだ無線タグを用意するとともに、前記所定のコンクリートの造形時に、当該コンクリートの中に前記無線タグを収容し、前記所定のコンクリートの識別時に、当該コンクリートの中に収容した無線タグのデータを、非接触に配した無線タグ読取装置で読取ることにより、前記所定のコンクリートを識別することを特徴とするコンクリート識別方法。
【請求項２】
前記所定のコンクリートは、コンクリート供試体であることを特徴とする請求項１記載のコンクリート識別方法。
【請求項３】
前記コンクリート供試体は、生コンクリートを型枠容器の途中まで注入した時点で前記無線タグを前記型枠容器に入れて造形することを特徴とする請求項２記載のコンクリート識別方法。
【請求項４】
前記所定のコンクリートは、コンクリート造形物であることを特徴とする請求項１記載のコンクリート識別方法。
【請求項５】
前記無線タグを複数用意し、コンクリート供試体に収容する無線タグ，このコンクリート供試体に対応するコンクリート造形物に収容する無線タグ，参照用の無線タグの一又は二以上に用いることを特徴とする請求項１記載のコンクリート識別方法。
【発明の詳細な説明】
【０００１】
【発明の属する技術分野】
本発明は、所定のコンクリートを識別する際に用いて好適なコンクリート識別方法に関する。
【０００２】
【従来の技術】
一般に、コンクリートを用いて建物や橋等のコンクリート造形物を建造する場合、当該コンクリートの品質を確認するため、コンクリート造形物の建造に用いる生コンクリートにより、規格に基づくコンクリート供試体を同時に造形するとともに、所定の検査機関において、このコンクリート供試体を用いたコンクリートの強度試験が行われる。
【０００３】
この場合、コンクリートを識別する必要があるため、従来は、実開昭６３−１８８６８０号公報等で開示されるような紙又は合成樹脂等を用いた識別シールを用意し、この識別シールにコンクリートを特定するための各種データを表示するとともに、この識別シールをコンクリート供試体の造形時又は造形後に、コンクリート供試体の表面に貼着していた。
【特許文献１】
実開昭６３−１８８６８０号公報
【０００４】
【発明が解決しようとする課題】
ところで、コンクリート造形物は、外観からその品質を見極めることは困難であり、現実には、造形後における部分崩落や地震等による崩壊があって初めて本来の品質が確保されていない欠陥であったことが判明する場合も少なくない。この場合、正規のコンクリート供試体に対する試験が行われなかったことが考えられるが、上述した識別シールを用いた従来の識別方法では、実際に粗悪なコンクリートを使用したにも拘わらず、検査を合格させる目的でコンクリート供試体の造形後に、識別シールを剥がして他のコンクリート供試体に貼付けるなどの不正が入り込む余地があり、コンクリートを正確かつ確実に識別することができない虞れがあった。
【０００５】
本発明は、このような従来の技術に存在する課題を解決したものであり、所定のコンクリートを正確かつ確実に識別することができるとともに、所定のコンクリートに係わる正規のデータを確実に保存することができるコンクリート識別方法の提供を目的とする。
【０００６】
【課題を解決するための手段及び実施の形態】
本発明に係るコンクリート識別方法は、所定のコンクリートＣを識別するに際し、予め、所定のコンクリートＣに係わるデータを書込んだ無線タグ２を用意するとともに、所定のコンクリートＣの造形時に、当該コンクリートＣの中に無線タグ２を収容し、所定のコンクリートＣの識別時に、当該コンクリートＣの中に収容した無線タグ２のデータを、非接触に配した無線タグ読取装置１で読取ることにより、所定のコンクリートＣを識別するようにしたことを特徴とする。
【０００７】
この場合、好適な実施の態様により、所定のコンクリートＣには、コンクリート供試体Ｃｓを適用することができる。この際、コンクリート供試体Ｃｓは、生コンクリートＣｏを型枠容器２０の途中まで注入した時点で無線タグ２を型枠容器２０に入れて造形することができる。また、所定のコンクリートＣには、コンクリート造形物Ｃｍを適用することもできる。したがって、無線タグ２…を複数用意し、コンクリート供試体Ｃｓに収容する無線タグ２，このコンクリート供試体Ｃｓに対応するコンクリート造形物Ｃｍに収容する無線タグ２，参照用の無線タグ２の一又は二以上に用いることができる。
【０００８】
【実施例】
次に、本発明に係る好適な実施例を挙げ、図面に基づき詳細に説明する。
【０００９】
まず、本実施例に係るコンクリート識別方法に用いる無線タグ２について、図１及び図４を参照して説明する。
【００１０】
無線タグ２には公知のＲＦＩＤタグを使用することができる。無線タグ２は、データを書込むことができるデータ書込エリアを有しており、望ましくは、データの改ざんを防止するため、一回の書込のみが許容されるものを用いることができる。無線タグ２は、電源を内蔵しておらず、無線電波により読出又は書込（リードライト）が可能である。なお、無線タグ２は、後述する生コンクリートＣｏ中に収容するため、生コンクリートＣｏに対して保護する保護ケース等に収容することが望ましい。
【００１１】
一方、無線タグ２に書込んだデータは、非接触に配した無線タグ読取装置１により読取ることができる。無線タグ読取装置１は、リードライト装置１０と、このリードライト装置１０に付属するアンテナ１１と、リードライト装置１０に接続したデータ処理装置１２を備える。データ処理装置１２は、コンピュータを使用し、リードライト装置１０を制御して無線タグ２に対するデータの書込や読出を行わせることができるとともに、データベースの構築やデータの照合及び集計等の各種処理を行う。
【００１２】
次に、本実施例に係るコンクリート識別方法について、図１，図４及び図５を参照しつつ図３に示すフローチャートに従って説明する。
【００１３】
まず、データの書込まれていない無線タグ２を用意する（ステップＳ１）。そして、リードライト装置１０を用いて当該無線タグ２に対するデータの書込みを行う（ステップＳ２）。データには、少なくともコンクリートを特定する識別データが含まれる。具体的には、コンクリートを打設する工事名称，立会者，打設場所，採取日，コンクリート状態（強度，スランプ，空気量，塩分，温度，骨材最大粒径等）に係わる各種データが含まれる。この場合、同一の無線タグ２を同時に複数作成することが望ましい。この複数の無線タグ２…は、後述するコンクリート供試体Ｃｓに収容する無線タグ（第一の無線タグ）２，このコンクリート供試体Ｃｓに対応するコンクリート造形物Ｃｍに収容する無線タグ（第二の無線タグ）２，参照用の無線タグ（第三の無線タグ）２に用いることができる。
【００１４】
一方、コンクリート供試体Ｃｓの造形は次のように行う。まず、図４に示す型枠容器２０を用意する。実施例の型枠容器２０は、上端が開放された円筒形に構成され、左右に二分割することができる。なお、２１は型枠容器２０を設置したベース盤である。この型枠容器２０により、直径１５〔ｃｍ〕，長さ３０〔ｃｍ〕の円柱形のコンクリート供試体Ｃｓを造形することができる。造形に際しては、図４に示すように、生コンクリートＣｏを型枠容器２０に上から注入する（ステップＳ３）。そして、生コンクリートＣｏを、図４に示すように途中まで注入した時点で、一旦、注入を停止し、データを書込んだ無線タグ（第一の無線タグ）２を型枠容器２０の中に投入する（ステップＳ４，Ｓ５）。
【００１５】
この後、生コンクリートＣｏを型枠容器２０に再注入し、型枠容器２０が満杯になったら注入を停止する（ステップＳ６，Ｓ７）。そして、図５に示すように、型枠容器２０の上端における生コンクリートＣｏの上面を平らに均し、この状態で１週間程度放置（前養生）した後、型枠容器２０を分割してコンクリート供試体Ｃｓを取出す（ステップＳ８）。取出したコンクリート供試体Ｃｓは、さらに、３週間程度放置（後養生）することにより、コンクリートを完全に固化（硬化）させる（ステップＳ９）。これにより、図１に示す目的のコンクリート供試体Ｃｓを得ることができる。
【００１６】
他方、コンクリート供試体Ｃｓの試験は次のように行う。まず、図１に示すように、コンクリート供試体Ｃｓの中に収容した無線タグ２のデータを、非接触に配した無線タグ読取装置１（リードライト装置１０）を用いて読取る（ステップＳ１０）。この場合、コンクリート供試体Ｃｓにリードライト装置１０のアンテナ１１を近付けることにより無線電波で読取る。また、読取ったデータは、データ処理装置１２におけるディスプレイ画面に表示させる。これにより、コンクリート供試体Ｃｓを識別（特定）することができる。そして、不図示の試験機にコンクリート供試体Ｃｓをセットし、コンクリート供試体Ｃｓに高圧を付加して強度試験を行う（ステップＳ１１，Ｓ１２）。
【００１７】
よって、このような本実施例に係るコンクリート識別方法によれば、従来の識別シールを用いた際に生じる虞れがあるシール貼替等の不正の入り込む余地がないため、所定のコンクリートＣ（コンクリート供試体Ｃｓ）を正確かつ確実に識別することができる。なお、無線タグ２の大きさは、小石ほどであるからコンクリート供試体Ｃｓの強度に影響することはない。
【００１８】
ところで、上述した実施例では、無線タグ（第一無線タグ）２をコンクリート供試体Ｃｓの中に入れてコンクリートＣを識別する場合を例示したが、三つ（複数）の無線タグ２…を用意した場合には、他の無線タグ（第二無線タグ）２を、実際に工事現場で打設するコンクリートＣの中に入れることができる。これにより、図２に示すように、コンクリート造形物Ｃｍの中に無線タグ２が収容される。また、残りの無線タグ（第三の無線タグ）２を参照用として保管することもできる。このように、複数の同一無線タグ２…を用いれば、必要によりいつでもデータの確認を行うことができるとともに、第三の無線タグ２と第一の無線タグ２又は第二の無線タグ２を照合可能なため、万が一、他の異なる無線タグ２が使用されても、それを発見することができるなど、正規のデータを確実に保存することができる。
【００１９】
以上、実施例について詳細に説明したが、本発明はこのような実施例に限定されるものではなく、細部の構成，形状，部品，手法等において、本発明の要旨を逸脱しない範囲で任意に変更，追加，削除することができる。例えば、無線タグ２は、書込まれたデータを非接触により読取可能であればよく、その種類は問わない。また、無線タグ読取装置１については、読取側のリードライト装置１０による無線タグ２へのデータ書込が行われない場合も多いため、識別のみに着目して無線タグ読取装置１と表現したが、前述したように書込も勿論可能である。なお、本発明におけるコンクリートとは、モルタル等の他の類似物も含む概念である。
【００２０】
【発明の効果】
このように、本発明に係るコンクリート識別方法は、予め、所定のコンクリートに係わるデータを書込んだ無線タグを用意するとともに、所定のコンクリートの造形時に、当該コンクリートの中に無線タグを収容し、所定のコンクリートの識別時に、当該コンクリートの中に収容した無線タグのデータを、非接触に配した無線タグ読取装置で読取ることにより、所定のコンクリートを識別するようにしたため、次のような顕著な効果を奏する。
【００２１】
（１）  従来の識別シールを用いた際に生じる虞れがあるシール貼替等の不正の入り込む余地がないため、所定のコンクリートを正確かつ確実に識別することができる。
【００２２】
（２）  無線タグの大きさは、小石ほどであるからコンクリートの強度への影響を回避することができる。
【００２３】
（３）  好適な実施の態様により、無線タグを複数用意し、コンクリート供試体に収容する無線タグ，このコンクリート供試体に対応するコンクリート造形物に収容する無線タグ，参照用の無線タグの一又は二以上に用いれば、所定のコンクリートに係わる正規のデータを確実に保存することができる。
【図面の簡単な説明】
【図１】本発明の好適な実施例に係るコンクリート識別方法を実施できるコンクリート供試体を含む無線タグ読取装置の構成図、
【図２】同コンクリート識別方法に用いるコンクリート造形物の断面図、
【図３】同コンクリート識別方法の手順を説明するためのフローチャート、
【図４】同コンクリート識別方法に用いるコンクリート供試体の造形過程説明図、
【図５】同コンクリート供試体の他の造形過程説明図、
【符号の説明】
１    無線タグ読取装置
２    無線タグ
２０  型枠容器
Ｃ    所定のコンクリート
Ｃｓ  コンクリート供試体
Ｃｏ  生コンクリート
Ｃｍ  コンクリート造形物
【図１】
2004197312.tif 000003
【図２】
2004197312.tif 000004
【図３】
2004197312.tif 000005
【図４】
2004197312.tif 000006
【図５】
2004197312.tif 000007